(57)【特許請求の範囲】
【請求項１】
４枚の外周壁を構成する第１側板から第４側板と内側板を少なくとも有し、折線を  介して横一方向に順次連接し、
前記第１側板の上端に第１上端折線を介して第１上蓋を設けるとともに、前記第１側板  から第４側板におけるいずれかの側板の下端に第１下端折線を介して第１下蓋を設け、  
前記第１側板に、前記第１上端折線に沿って折曲される上方差し込み片を区画する第１  上方破断線を設け、前記第１下蓋が設けられる前記側板に、前記第１下端折線に沿って  折曲される下方差し込み片を区画する第１下方破断線を設け、
組み立て状態にて、前記第１側板に対向する前記第２側板の上端に第２上端折線を介し  て前記第１上蓋に固定される第２上蓋を設けるとともに、前記下方差し込み片が設けら  れる前記側板と対向する側板の下端に第２下端折線を介して前記第１下蓋に固定される  第２下蓋を設け、
前記内側板の上端には、固定片折線を介して固定片を設けるとともに、前記固定片折線  の一部が開口する挿通孔を少なくとも設け、
前記各折線にしたがって各構成板及び構成片を折曲し、所定箇所を貼着して組み立て、  
前記内側板の内側に前記固定片が貼着され、前記第１側板の内側に前記内側板が重合し  、前記上方差し込み片の領域内に前記挿通孔を配設し、前記上方差し込み片における左  右方向の幅寸法より前記挿通孔における左右方向の幅寸法が小さくなるよう設定される  ことを特徴とする包装用箱。
【請求項２】
前記挿通孔は、前記固定片折線から前記内側板にかけて広がる前方開口領域を備え  る請求項１に記載の包装用箱。
【請求項３】
前記挿通孔は、前記固定片折線から前記固定片にかけて広がる後方開口領域を備え  る請求項１又は請求項２に記載の包装用箱。
【請求項４】
前記上方差し込み片は、前記上方差し込み片の両端から内側方向へ切込線を設けて  形成される掛止片を備える請求項１から請求項３のいずれか１項に記載の包装用箱。
【請求項５】
前記第１下蓋と前記下方差し込み片とを前記第１側板に設けるとともに、前記第２  下蓋を前記第２側板に設ける請求項１から請求項４のいずれか１項に記載の包装用箱。  
【請求項６】
前記内側板の下端に切欠部を設け、前記組み立て状態にて、前記下方差し込み片と  前記内側板の重合領域内に前記切欠部が配設される請求項５に記載の包装用箱。
【請求項７】
前記第１側板は、前記第１上方破断線に連接する開口孔を備える請求項１から請求  項６のいずれか１項に記載の包装用箱。
【請求項８】
前記挿通孔は、前記第１上端折線より下方に配設される請求項１から請求項７のい  ずれか１項に記載の包装用箱。
【請求項９】
前記第２側板には、前記第２上端折線との折線に沿って折曲される押切部を区画す  るように、前記第２側板側に押切用破断線を形成する請求項１から請求項８のいずれか  １項に記載の包装用箱。
【発明の詳細な説明】
【技術分野】
【０００１】
本発明は、食品、飲料、医薬品等を収納する包装用箱に関するものであって、特に両端開口部を貼着して封止する包装用箱に関するものである。
【背景技術】
【０００２】
従来より、食品、飲料、医薬品等を収納する包装用箱において、両端開口部を貼着して封止し、いずれか一方の開口部を再封可能とする包装用箱が公知である。
【０００３】
例えば、一枚のブランクシートから形成され、正面板、第一側面板、背面板、及び第二側面板が連接される箱体形成片であって、正面板と背面板の一方には外蓋片が延設され、正面板と背面板の他方の内蓋片が延設され、組み立て状態で、筒状体の開口端を内蓋片に外蓋片を重ねて閉塞する包装用箱において、第二側面板には組み立て状態で正面板の裏面に対面して固定される裏面板が連接され、正面板には一対の破断線と端縁の折罫線とで囲まれた開口部が設けられるとともに、正面板の開口部を形成する破断線の先端部間に開封用の透孔が形成され、透孔と対面する裏面板の部分には、透孔を覆うとともに正面板の外側から押圧されると内側に凹む押圧吸収部が形成され、組み立て状態で、透孔から破断線を破断して開口部を開封した後、開口部を裏面板の内側に差し込むことによって再封可能とする包装用箱が公知である（特許文献１参照）。
【先行技術文献】
【特許文献】
【０００４】
【特許文献１】特開２０１３−２２７０３６号
【発明の概要】
【発明が解決しようとする課題】
【０００５】
しかしながら、上記構造の包装用箱においては、上下いずれか一方の端部にて開口部が設けられており、これにより再開封可能とするものであるため、調剤時等の必要に応じて、内部に収容される患者等に不要な情報（患者の不安を煽るような情報等）が記載された添付書類を予め抜き取る等する場合であっても、当該開口部から開封しなければならないものである。すなわち、包装用箱が患者に渡される際には、包装用箱が再封された状態で渡されることから、患者に対して改ざん等の不安を与えてしまうことが懸念されるものであった。
【０００６】
そこで、本発明はこのような問題点を解決するものであって、両端開口部を貼着して封止する包装用箱にて、一方の開口部を必要に応じて開封した場合であっても、再開封が困難となる差し込み片と挿通孔にて封緘可能とするとともに、他方の開口部を再封可能とする包装用箱を提供することを課題とする。
【課題を解決するための手段】
【０００７】
前記問題点を解決するために、本発明の請求項１に記載の包装用箱は、４枚の外周  壁を構成する第１側板から第４側板と内側板を少なくとも有し、折線を介して横一方向  に順次連接し、前記第１側板の上端に第１上端折線を介して第１上蓋を設けるとともに  、前記第１側板から第４側板におけるいずれかの側板の下端に第１下端折線を介して第  １下蓋を設け、前記第１側板に、前記第１上端折線に沿って折曲される上方差し込み片  を区画する第１上方破断線を設け、前記第１下蓋が設けられる前記側板に、前記第１下  端折線に沿って折曲される下方差し込み片を区画する第１下方破断線を設け、組み立て  状態にて、前記第１側板に対向する前記第２側板の上端に第２上端折線を介して前記第  １上蓋に固定される第２上蓋を設けるとともに、前記下方差し込み片が設けられる前記  側板と対向する側板の下端に第２下端折線を介して前記第１下蓋に固定される第２下蓋  を設け、前記内側板の上端には、固定片折線を介して固定片を設けるとともに、前記固  定片折線の一部が開口する挿通孔を少なくとも設け、前記各折線にしたがって各構成板  及び構成片を折曲し、所定箇所を貼着して組み立て、前記内側板の内側に前記固定片が 貼着され、前記第１側板の内側に前記内側板が重合し、前記上方差し込み片の領域内に  前記挿通孔を配設し、前記上方差し込み片における左右方向の幅寸法より前記挿通孔に  おける左右方向の幅寸法が小さくなるよう設定されることを特徴とするものである。
【０００８】
また、本発明の請求項２に記載の包装用箱は、請求項１に記載の包装用箱において、前記挿通孔は、前記固定片折線から前記内側板にかけて広がる前方開口領域を備えるものである。
【０００９】
また、本発明の請求項３に記載の包装用箱は、請求項１又は請求項２に記載の包装用箱において、前記挿通孔は、前記固定片折線から前記固定片にかけて広がる後方開口領域を備えるものである。
【００１０】
また、本発明の請求項４に記載の包装用箱は、請求項１から請求項３のいずれか１項に記載の包装用箱において、前記上方差し込み片は、前記上方差し込み片の両端から内側方向へ切込線を設けて形成される掛止片を備えるものである。
【００１１】
また、本発明の請求項５に記載の包装用箱は、請求項１から請求項４のいずれか１項に記載の包装用箱において、前記第１下蓋と前記下方差し込み片とを前記第１側板に設けるとともに、前記第２下蓋を前記第２側板に設けるものである。
【００１２】
また、本発明の請求項６に記載の包装用箱は、請求項５に記載の包装用箱において、前記内側板の下端に切欠部を設け、前記組み立て状態にて、前記下方差し込み片と前記内側板の重合領域内に前記切欠部が配設されるものである。
【００１３】
また、本発明の請求項７に記載の包装用箱は、請求項１から請求項６のいずれか１項に記載の包装用箱において、前記第１側板は、前記第１上方破断線に連接する開口孔を備えるものである。
【００１４】
また、本発明の請求項８に記載の包装用箱は、請求項１から請求項７のいずれか１項に記載の包装用箱において、前記挿通孔は、前記第１上端折線より下方に配設されるものである。
【００１５】
また、本発明の請求項９に記載の包装用箱は、請求項１から請求項８のいずれか１項に記載の包装用箱において、前記第２側板には、前記第２上端折線との折線に沿って折曲される押切部を区画するように、前記第２側板側に押切用破断線を形成するものである。
【発明の効果】
【００１６】
本発明の包装用箱では、両端開口部のうち、一方の開口部を必要に応じて開封した場合であっても、当該開口部が改ざん防止機能を備えるので、再度の開封を困難なものとすることができ、他方の開口部においては、繰り返しの開封を可能とする再封機能を備えるので、被収容物の出し入れを行うことができる。
【図面の簡単な説明】
【００１７】
【図１】本発明の実施例における包装用箱を展開した状態の裏面図である。
【図２】本発明の実施例における包装用箱を図１に示す状態から折り進めた状態説明図である。
【図３】本発明の実施例における包装用箱を図２に示す状態から折り進めた状態説明図である。
【図４】本発明の実施例における包装用箱を組み立てた状態の斜視図である。
【図５】本発明の実施例における包装用箱の図４のＡ−Ａ断面図である。
【図６】本発明の実施例における包装用箱を上方蓋から開封した状態の斜視図である。
【図７】本発明の実施例における包装用箱の上方蓋を封緘する状態の部分拡大説明図である。
【図８】本発明の実施例における包装用箱の上方蓋を封緘した状態の斜視図である。
【図９】本発明の実施例における包装用箱の図８のＢ−Ｂ拡大拡大断面図である。
【図１０】本発明の実施例における包装用箱を下方蓋から開封した状態の斜視図である。
【図１１】本発明の実施例における包装用箱の下方蓋を再封した状態の斜視図である。
【発明を実施するための形態】
【００１８】
以下、本発明の実施の形態における包装用箱を図面に基づいて説明する。当該包装用箱において、上蓋が設けられる側（改ざん防止側）を当該箱の上方とし、下蓋が設けられる側（再封側）を当該箱の下方とする。また、展開図において、上下方向を縦とし、左右方向を横とする。
【００１９】
当該包装用箱は、食品、飲料、医薬品等の被収容物を収容し、上下方向における両端開口部を貼着して封止するものであって、一方の開口部を必要に応じて開封した場合であっても、再開封が困難となる差し込み片と挿通孔にて封緘可能とするとともに、他方の開口部を再封可能とすることができるものである。
【実施例】
【００２０】
本発明に係る包装用箱は、一枚の台紙から形成されており、図１に示すような展開図からなるものである。図１は、当該包装用箱を展開した状態の裏面図である。包装用箱は展開した状態において、４枚の外周壁を構成する第１側板から第４側板、糊代片５及び内側板６を折線ａ、ｂ、ｃ、ｄ、ｅを介して横一方向に連接している。尚、本実施例においては、左側板３、前側板１、右側板４、後側板２、糊代片５及び内側板６とを折線ａ、ｂ、ｃ、ｄ、ｅを介して横一方向に順次連接している。また、各構成板については、第１側板を前側板１とし、第２側板を後側板２とし、第３側板を左側板３とし、第４側板を右側板４とする。
【００２１】
例えば、夫々対向する前側板１と後側板２、左側板３と右側板４は略同一形状となるよう形成される。糊代片５は、後側板２側を下底とした略台形状に形成され、糊代片５の横寸法は、左側板３に貼着するために略同等の寸法とされる。また、図１に示すように、糊代片５の表面部は、糊等が塗布される貼着部Ｐとされる。また、内側板６は、包装用箱の内部にて前側板１に貼着するため、略同等の寸法とされるか、上下左右方向に僅かに小さい寸法とされる。
【００２２】
同図に示すように、左側板３及び右側板４には、夫々上端に折線ｆ、ｇを介して上内蓋７が設けられる。一方、下端には折線ｈ、ｉを介して下内蓋８が設けられる。また、前側板１には、上端に第１上端折線ｊを介して第１上蓋９が設けられる。また、前側板１の上端には、下方に向けて略半円形状の上方差し込み片１０が設けられるとともに、第１上端折線ｊに沿って折曲される当該上方差し込み片１０を区画するように第１上方破断線１１が設けられる。
【００２３】
このとき、上方差し込み片１０における左右方向の寸法は、前側板１における左右方向の寸法と略同等とすることもできるが、当該寸法より小さく設定する場合には、上方差し込み片１０からの開封を容易とするため、上方差し込み片１０の両端における第１上端折線ｊを同様の破断線とすることが望ましい。
【００２４】
また、前側板１には、開封時に上方差し込み片１０を第１上蓋９側へ引き上げ易くするための開口孔１２を設けることが望ましい。当該開口孔１２は、ユーザが開口孔１２から上方差し込み片１０に指を掛け、第１上方破断線１１によって開封作業を行うことができる構成としている。開口孔１２は、前側板１側となる上方差し込み片１０の外側に連接して設けることもできるし、上方差し込み片１０側となる内側に連接して設けることもできる。
【００２５】
本実施例においては、前側板１における左右方向の略中央部に位置し、且つ、前側板１における左右方向の寸法より小さく設定される略半円形状の上方差し込み片１０に対して、上端が上方差し込み片１０の一部となる略四角状の開口孔１２を前側板１における左右方向の略中央部にて連接している。すなわち、開口孔１２は、上方差し込み片１０の外側に設けられる。また、上方差し込み片１０の両端における第１上端折線ｊを破断線とするとともに、第１上端折線ｊ上にて、上方差し込み片１０の両端から内側方向へ僅かな切込線１０ａを設けて、左右両端部に掛止片１０ｂを形成する構成としている（図７参照。）。
【００２６】
また、前側板１には、図１に示すように、下端に第１下端折線ｋを介して第１下蓋１３が設けられる。また、前側板１の下端には、上方に向けて略円弧状の下方差し込み片１４が設けられるとともに、第１下端折線ｋに沿って折曲される当該下方差し込み片１４を区画するように第１下方破断線１５が設けられる。本実施例においては、第１下方破断線１５は、第１下端折線ｋの両端部から上方へ延びる直線部と、当該直線部の端部相互を連結する円弧部からなり、下方差し込み片１４における左右方向の寸法が前側板１における左右方向の寸法と略同等となるよう設定される。
【００２７】
また、後側板２には、上端に折線ｌを介して第２上蓋１６が設けられる。また、後側板２の上端には、下方に向けて略円弧の押切部１７が設けられるとともに、折線ｌに沿って折曲される当該押切部１７を区画するように押切用破断線１８が設けられる。
【００２８】
このとき、押切部１７における左右方向の寸法は、後側板２における左右方向の寸法と略同等とすることもできるが、当該寸法より小さく設定する場合には、押切部１７からの開封を容易とするため、押切部１７の両端における折線ｌを同様の破断線とすることが望ましい。
【００２９】
一方、後側板２の下端には、折線ｍを介して第２下蓋１９が設けられる。後側板２において、第２上蓋１６と第２下蓋１９は、包装用箱の組み立て時に夫々第１上蓋９と第１下蓋１３に貼着されるものであって、図１に示すように、第２上蓋１６及び第２下蓋１９の表面部は、糊等が塗布される貼着部Ｐとされる。
【００３０】
また、内側板６の上端には、固定片折線ｎを介して固定片２０が設けられる。当該固定片２０は、内側板６に貼着されるものであって、図１に示すように、固定片２０の裏面部は糊等が塗布される貼着部Ｐとされる。また、固定片２０が貼着される内側板６は、図１に示すように、前側板１に貼着されるものであって、内側板６の表面部は、糊等が塗布される貼着部Ｐとされる。
【００３１】
また、固定片折線ｎには、包装用箱の上方差し込み片１０が開封された状態において、上方差し込み片１０を差し込むための挿通孔２１が設けられる。当該挿通孔２１は、上方差し込み片１０を封緘可能にするとともに、一度封緘されると再開封が困難となるよう、改ざん防止機能を有してなる。具体的には、図７に示すように、挿通孔２１における左右方向の寸法をＤ１とし、上方差し込み片１０における左右方向の寸法をＤ２としたとき、Ｄ１がＤ２より小さくなるよう設定される。すなわち、挿通孔２１は、固定片折線ｎの一部が開口した状態となる。これにより、挿通孔２１内に上方差し込み片１０が挿通されると、再度の開封が困難な状態となる。
【００３２】
また、内側板６、固定片２０のうち、少なくともいずれか一方に、挿通孔２１に連設される開口領域を設けることが望ましい。これにより、上方差し込み片１０の差し込みによる封緘作業を容易なものとすることができる。
【００３３】
本実施例においては、挿通孔２１は、固定片折線ｎから内側板６にかけて広がる前方開口領域２２と、固定片折線ｎから固定片２０にかけて広がる後方開口領域２３とから構成される。当該前方開口領域２２は、内側板６における左右方向の略中央部に位置し、固定片折線ｎ上における挿通孔２１の両端部から延設される略円弧状の線分にて区画される。また、後方開口領域２３は、前方開口領域２２に連接してなり、当該挿通孔２１の両端部から延設される略コ字状の線分にて区画される。すなわち、内側板６と固定片２０との境界において、略弓状の開口領域と略四角状の開口領域とが連接した状態となる。このとき、前方開口領域２２が後方開口領域２３より大きくなるよう設定される。
【００３４】
また、内側板６の下端には、上方に向けて切欠部２４が設けられる。当該切欠部２４は、包装用箱の組み立て状態において、前側板１における第１下方破断線１５での破断を容易にするものであり、ユーザの指をあてがって下方差し込み片１４を押圧することができるよう形状であればよい趣旨である。また、切欠部２４は、下方差し込み片１４と内側板６との重合領域内に設けられる。本実施例においては、切欠部２４は、内側板６における左右方向の略中央部に位置し、下方差し込み片１４と内側板６との重合領域内にて略逆Ｖ字状に形成される。
【００３５】
このようにして、展開図が形成される包装用箱は、図１から図４示すようにして各折線にしたがって折曲させ、所定箇所を貼着することによって組み立てられる。
【００３６】
具体的には、図２に示すように、固定片２０を固定片折線ｎに沿って折曲させ、固定片２０を内側板６に貼着するとともに、糊代片５及び内側板６を折線ｄに沿って折曲させる。次に、図３に示すように、前側板１及び左側板３を折線ｂに沿って折曲させ、左側板３を糊代片５に貼着し、扁平状とする。そして、折線ａ、ｂ、ｃ、ｄに沿って折曲させ、４枚の外周壁からなる筒状体を構成する。
【００３７】
そして、下内蓋８を折線ｈ、ｉに沿って折曲させ、下方開口部２６を覆うように第２下蓋１９を折線ｍに沿って折曲させるとともに、第１下蓋１３を折線ｋに沿って折曲し第２下蓋１９に重合させて、両者を貼着し包装用箱の下方蓋を構成する。後に、筒状体の内部に被収容物、内容物等を記載した説明書等の添付書類（図示しない）を収容し、上内蓋７を折線ｆ、ｇに沿って折曲させ、上方開口部２５を覆うように第２上蓋１６を折線ｌに沿って折曲させるとともに、第１上蓋９を折線ｊに沿って折曲し第２上蓋１６に重合させて、両者を貼着し包装用箱の上方蓋を構成する。これにより、図４及び図５に示すような包装用箱が組み立てられる。包装用箱の上方蓋、下方蓋の形成順序は適宜とすることができ、被収容物等は上方蓋、下方蓋を形成する前に収納される。
【００３８】
このような各構成板及び構成片の組み立て状態の包装用箱において、調剤時等の必要に応じて、内部に収容される患者等に不要な情報（患者の不安を煽るような情報等）が記載された添付書類を予め抜き取る等の通常下以外の状況での開封においては、開口孔１２から上方差し込み片１０を把持して第１上方破断線１１に沿って破断するとともに、上方差し込み片１０の両端における第１上端折線ｊを破断する。これにより、図６に示すように、上方蓋を構成する第１上蓋９及び第２上蓋１６が開口した状態となり、上方開口部２５から当該添付書類を取り出すことができる。
【００３９】
そして、包装用箱における上方蓋を封緘する際には、図７から図９に示すように、内側板６と固定片２０によって構成される挿通孔２１に上方差し込み片１０を差し込むことで、包装用箱の上方開口部２５を閉鎖することができる。より詳細には、第１上端折線ｊより下方に配設され、前方開口領域２２によって、前方側が開口する挿通孔２１に対して、上方差し込み片１０を固定片２０側にあてがいながら差し込み、挿通孔２１における左右方向の両端部と上方差し込み片１０が当接した状態で、下方へ押圧して封緘する。このとき、挿通孔２１は、第１上端折線ｊより下方に位置するので、封緘作業を容易に行うことができる。また、挿通孔２１の内部においては、上方差し込み片１０における左右両端部の掛止片１０ｂが挿通孔２１の左右両端部より外側方向に位置するため、上方差し込み片１０を再度開封しようとしても、第１上端折線ｊに内側から当接するため、再度の開封が困難な状態となる。これにより、包装用箱の上方蓋に改ざん防止機能を付与することができる。
【００４０】
一方、通常下の状況での開封においては、前側板１の下方差し込み片１４を押圧して、第１下方破断線１５に沿って破断する。このとき、前側板１に重合される内側板６には切欠部２４が設けられているので、下方差し込み片１４を包装用箱の内側方向へと容易に押圧することができる。これにより、図１０に示すように、下方蓋を構成する第１下蓋１３及び第２下蓋１９が開口した状態となり、下方開口部２６から被収容物を取り出すことができる（図中においては、便宜上包装用箱の上下方向を反転させている。）。そして、包装用箱における下方蓋を再封する際には、図１１に示すように、内側板６の内側に下方差し込み片１４を差し込むことで、包装用箱の下方開口部２６を閉鎖することができる。これにより、包装用箱の下方蓋に再封機能を付与することができる。
【００４１】
そして、使用後における折り畳み方法については、次のようにして行われる。まず、後側板２の押切部１７を押圧して、押切用破断線１８に沿って破断する。これにより、改ざん防止状態の上方蓋が後側板２から分離されるとともに、上方差し込み片１０が挿通孔２１に差し込まれていることから、上方蓋が開口した状態となる。そして、４枚の外周壁からなる筒状体を扁平状に折り畳むことで、包装用箱を廃棄することができる。
【００４２】
以上、説明した本発明に係る包装用箱によれば、両端開口部のうち、一方の開口部を必要に応じて開封した場合であっても、当該開口部が改ざん防止機能を備えるので、再度の開封を困難なものとすることができる。また、他方の開口部においては、繰り返しの開封を可能とする再封機能を備えるので、被収容物の出し入れを行うことができる。すなわち、包装用箱に被収容物等を収容した後にその一部を取り出すような状況に際して、特に効果的なものとなる。
【００４３】
更に、上述した組み立て順序により、折線ａからｎにしたがって各構成板及び構成片を折曲すればよいので、自動製函機（サックマシン）で作製できるものとなり、量産化がし易いものとなる。
【００４４】
また、上記実施例における包装用箱においては、４枚の側板、糊代片５及び内側板６の６枚の構成板等で構成されるものであったが、これに限られるものではない。例えば、図１において、左側板３を取り除く換わりに、糊代片５に上内蓋７及び下内蓋８を設けた左側板３として、５枚の構成板で構成することもできる。係る際には、内側板６を前側板１へ貼着することで外周壁を構成することができる。すなわち、４枚の側板と側板の内側に貼着される内側板６を少なくとも有していればよい趣旨である。
【００４５】
さらに、上方差し込み片１０と下方差し込み片１４は、同じ前側板１に設けることなく、適宜異なる側板に設けることができるのは勿論である。係る際には、内側板６の切欠部２４を設けることなく、第１下蓋１３と第２下蓋１６とを夫々対向する側板に設けることで構成することができる。
【００４６】
その他、形状、寸法、材質等を適宜変更して実施することが可能である。また、一部構成を省略することができるし、一部抽出した構成とすることができるのは勿論である。
【符号の説明】
【００４７】
１      前側板
２      後側板
３      左側板
４      右側板
５      糊代片
６      内側板
７      上内蓋
８      下内蓋
９      第１上蓋
１０    上方差し込み片
１１    第１上方破断線
１２    開口孔
１３    第１下蓋
１４    下方差し込み片
１５    第１下方破断線
１６    第２上蓋
１７    押切部
１８    押切用破断線
１９    第２下蓋
２０    固定片
２１    挿通孔
２２    前方開口領域
２３    後方開口領域
２４    切欠部
２５    上方開口部
２６    下方開口部
Ｐ      貼着部
ａ〜ｎ  折線
【図１】
0006376350.tif 000002
【図２】
0006376350.tif 000003
【図３】
0006376350.tif 000004
【図４】
0006376350.tif 000005
【図５】
0006376350.tif 000006
【図６】
0006376350.tif 000007
【図７】
0006376350.tif 000008
【図８】
0006376350.tif 000009
【図９】
0006376350.tif 000010
【図１０】
0006376350.tif 000011
【図１１】
0006376350.tif 000012